(57)【要約】【課題】  金属屋根材の防水において、屋根材はぜ部の細溝、又は細幅部に剥離紙付き粘着両面テープを貼付けする場合、指を切傷することなく、片手で簡単に貼り付けることができ、正確、安全かつ作業効率を向上できる治具を提供しようとするものである。【解決手段】  把手部と巻付体支持ドラム支持軸と剥離紙付き粘着両面テープガイド取り付け体を有する治具支持体に、剥離紙付き粘着両面テープの巻付体を着脱可能とした巻付体支持ドラムを、治具支持体内部に設けた巻付体支持ドラムの回転を止める為のブレーキシステムを介して取り付け、本体突端部のガイド取り付け体に剥離紙付き粘着両面テープの巻付体から繰り出された剥離紙付き粘着両面テープをスライド調整可能なテープずれ防止ガイドを取り付け、このガイドに剥離紙付き粘着両面テープを部材に貼り付ける回転自在とした転圧ローラーを設け、屋根部材に転圧貼り付け後、本体突端部に剥離紙付き粘着両面テープを切断する切断金具を設け、貼り付け切断自在とした剥離紙付き粘着両面テープ貼り付け治具である。【選択図】  図３
2005042522.tif 000002
【特許請求の範囲】
【請求項１】
把手部と回転体支持軸とテープガイド支持体を有する空洞化した治具支持本体と、剥離紙付き粘着両面テープの巻付体を着脱自在として保持する巻付体支持ドラムの軸とブレーキドラムの軸とを連結した巻付体支持ドラムを前記治具支持本体の支持軸に設け回転自在とし、この巻付体支持ドラムの回転を止めるブレーキ装置のブレーキテープと、このブレーキテープの片端を連結支持するブレーキ調整螺子と、前記治具支持本体の把手部に前記ブレーキテープを連結支持操作するブレーキ用引き金を設け、前記巻付体支持ドラムに取り付けた剥離紙付き粘着両面テープの巻付体から繰り出された粘着両面テープをガイドする調整可能なテープずれ防止ガイドを前記治具支持本体のテープガイド支持体に設け、このテープずれ防止ガイドに粘着両面テープを押さえ可能な転圧ローラーを設け、前記治具支持本体のテープガイド支持体に粘着両面テープを破断可能な切断金具を備えた剥離紙付き粘着両面テープの貼り付け治具。
【発明の詳細な説明】
【産業上の利用分野】
【０００１】  本発明は、剥離紙付き粘着両面テープを金属屋根材のはぜ部分の接合部に貼り付け、屋根材の防水、又は漏水防止を目的とする剥離紙付き粘着両面テープ貼り付け治具である。
【背景技術】
【０００２】    従来は金属屋根材のはぜ部分の細溝部、又は細幅板部に剥離紙付き粘着両面テープを防水の為に手作業で貼り、その結果指を切傷することがあり、又、精度が悪く作業効率が上がらなかった。
【発明の開示】
【発明が解決しようとしている課題】
【０００３】  本発明は、この治具で金属屋根材のはぜ部分の細溝部、又は細幅板部に剥離紙付き粘着両面テープを貼り付けることにより、指に切傷することなく、又、精度が安定し、貼り付け速度も向上し、簡単、安全かつ作業効率を向上できる治具を提供しようとするものである。
【課題を解決するための手段】
【０００４】  本発明は把手部と巻付体支持ドラム支持軸と剥離紙付き粘着両面テープガイド支持体を有する治具支持本体に、巻付体支持ドラム支持軸に回転自在としたブレーキドラムと剥離紙付き粘着両面テープの巻付体を着脱可能とした巻付体支持ドラムを設け、治具支持本体内部にブレーキ調整螺子を設け、このブレーキ調整螺子の片端にブレーキテープ片端を締結し、このブレーキテープをブレーキドラムの外周に巻きつけ、治具支持本体の把手部分に設けたブレーキ用引き金に連結し操作することにより巻付体支持ドラムの回転を止めることができ、又、巻付体支持ドラムに取り付けた剥離紙付き粘着両面テープの巻付体から繰り出された粘着両面テープをガイドするスライド調整可能なテープずれ防止ガイドを治具支持本体突端の剥離紙付き粘着両面テープガイド取り付け体に設け、蝶螺子によってスライド可能なテープずれ防止ガイドの内側の突端に剥離紙付き粘着両面テープの巻付体から繰り出された粘着両面テープを部材に貼り付ける回転自在とした転圧ローラーを設け、この転圧ローラーから繰り出された粘着両面テープを、巻付体支持ドラムの回転をブレーキ装置で止めることにより切断できる切断金具を設け、剥離紙付き粘着両面テープを金属屋根材の細溝部又は細幅板部などに貼り付け切断することができる。
【発明の効果】
【０００５】  金属屋根材においての雨漏りの原因となる継ぎ手、はぜ部への漏水防止目的により粘着両面テープを挿入することが必要であり、本発明の使用によって、簡単、正確、かつ安全に粘着両面テープを挿入することができ、建築物の漏水を確実に防止し、快適な環境を得る効果がある。
【発明を実施するための最良の形態】
【０００６】  本治具の巻付体支持ドラムに、剥離紙付き粘着両面テープの巻付体を取り付け、把手部を握り、剥離紙付き粘着両面テープの先端をテープずれ防止ガイドの間に沿って転圧ローラーと金属屋根材のはぜ部の細溝部、又は細幅板部の間に挿みこみ、粘着テープの粘着面を部材に押し当てながら粘着テープが繰り出される方向に治具本体を移動させながら、粘着テープを圧着貼り付けし、貼り付け終了位置で切断金具を粘着テープに押し当てながらブレーキ用引き金を引き、本治具をスライドさせて粘着テープを破断させる。
【実施例】
【０００７】  実施例を図面によって説明すると、図３のように把手部２８を有する空洞化した治具支持本体１に巻付体支持ドラム支持軸２が設けられ、この支持軸に回転自在としたブレーキドラム３を設け、それを介して剥離紙付き粘着両面テープの巻付体２１を着脱可能とした巻付体支持ドラム４を外れ止め螺子５によって治具支持本体に連結し、回転自在としたブレーキ調整つまみ螺子６を治具支持本体１の本体側面部位７に設け、それを介してブレーキ調整螺子８を設け、このブレーキ調整螺子８の治具支持本体内部に突出した片端のブレーキテープ締結穴９にブレーキテープ１０の片端を締結させ、このブレーキテープ１０をブレーキドラム３の外周に巻きつけ、治具支持本体の把手部２８部分に設けたブレーキ用引き金１１に連結し、このブレーキ用引き金１１のスライドによりブレーキテープ１０がブレーキドラム３を締め付け、巻付体支持ドラム４の回転を止めることができ、又、ブレーキテープ１０が樹脂材の為に伸張した場合、ブレーキ調整つまみ螺子６を回転させ、ブレーキ調整螺子８を伸縮自在とし、ブレーキテープの張りを自在とした。【０００８】  又、治具支持本体突端部に薄板状の固定テープずれ防止ガイド１２を剥離紙付き粘着両面テープ２２のテープ幅より微小に肉厚したガイド取り付け部１３の部位面１４に取り付け、薄板状のスライドテープずれ防止ガイド１５を蝶螺子１６によって部位面１４と対する部位面１７に取り付けスライド自在とし、このスライドテープずれ防止ガイド１５の突端の内側に回転自在とした転圧ローラーｌ８を設け、又、ガイド取り付け部１３の部位面１９に粘着テープ切断金具２０を設けた。【０００９】  図６，図７にあるように剥離紙付き粘着両面テープの巻付体２１を巻付体支持ドラム４に取り付け、剥離紙付き粘着両面テープ２２の先端を固定テープずれ防止ガイド１２とテープスライドずれ防止ガイド１５との間に沿って転圧ローラー１８と金属屋根材２５のはぜ部の細溝部２９の間に挿みこみ、剥離紙付き粘着両面テープ２２の粘着面を部材に押し当てながら、剥離紙付き粘着両面テープ２２が繰り出される方向２４に治具本体を移動させながら剥離紙付き粘着両面テープ２２を転着ローラー１８で金属屋根材２５のはぜ部に圧着させ、又、図１０のように貼り付け終了位置で粘着テープ切断金具２０を剥離紙付き粘着両面テープ２２に押し当てながら、ブレーキ用引き金１１を方向３０に引きながら本体治具を方向２４にスライドし、粘着両面テープ２２を破断させる。【０００１０】  又、図８，図９のように金属屋根材２５のはぜ部の細幅板部２６のような場合には、治具本体に設けてあるスライドテープずれ防止ガイド１５の蝶螺子１６を緩め、方向２７にスライドさせることにより、固定テープずれ防止ガイド１２の内側を、内はぜの細幅板部２６の端に接触させることができ、接触させながら治具本体を移動することにより、前項のように剥離紙付き粘着両面テープ２２を貼ることができる。
【図面の簡単な説明】
【００１１】
【図１】本発明の剥離紙付き粘着両面テープ貼り付け治具本体の表面、側面の説明図である。
【図２】本発明の剥離紙付き粘着両面テープ貼り付け治具本体の裏面、側面の説明図である。
【図３】本発明の本体の断面の説明図である。
【図４】屋根材のはぜ面への粘着両面テープ転着例の説明図である。
【図５】屋根材のはぜ面への粘着両面テープ転着後の加締め完了説明図である。
【図６】本発明による屋根材のはぜ細溝部への粘着両面テープ転着実施例の説明図である。
【図７】本発明による屋根材のはぜ細溝部への粘着両面テープ転着実施例の説明図である。
【図８】本発明による屋根材のはぜ細幅板部への粘着両面テープ転着実施例の説明図である。
【図９】本発明による屋根材のはぜ細幅板部への粘着両面テープ転着実施例の説明図である。
【図１０】本発明による粘着両面テープ切断実施例の説明図である。
【図１１】剥離紙付き粘着両面テープ斜視説明図である。
【符号の説明】
【００１２】１．    治具支持本体
２．    巻付体支持ドラム支持軸
３．    ブレーキドラム
４．    巻付体支持ドラム
５．    外れ止め螺子
６．    ブレーキ調整つまみ螺子
７．    本体側面部位
８．    ブレーキ調整螺子
９．    ブレーキテープ締結穴
１０．  ブレーキテープ
１１．  ブレーキ用引き金
１２．  固定テープずれ防止ガイド
１３．  ガイド取り付け部
１４．  部位面
１５．  スライドテープずれ防止ガイド
１６．  蝶螺子
１７．  部位面
１８．  転圧ローラー
１９．  部位面
２０．  粘着テープ切断金具
２１．  剥離紙付き粘着両面テープの巻付体
２２．  剥離紙付き粘着両面テープ
２３．  金属屋根材
２４．  方向
２５．  金属屋根材
２６．  細幅板部
２７．  方向
２８．  把手部
２９．  細溝部
３０．  方向
【図１】
2005042522.tif 000003
【図２】
2005042522.tif 000004
【図３】
2005042522.tif 000005
【図４】
2005042522.tif 000006
【図５】
2005042522.tif 000007
【図６】
2005042522.tif 000008
【図７】
2005042522.tif 000009
【図８】
2005042522.tif 000010
【図９】
2005042522.tif 000011
【図１０】
2005042522.tif 000012
【図１１】
2005042522.tif 000013